(57)【要約】【課題】熱線センサ付自動スイッチにおいて、ユーザに対するモード表示の視認性を向上させるとともに、組立てを容易に行えるようにする。【解決手段】熱線センサ付自動スイッチ１０は、熱線センサ部と、熱線センサ部からのセンサ信号に基づいて負荷を制御する制御部と、負荷への給電をオン／オフ制御する開閉器と、開閉器の制御モードを表示するモード表示部と、が実装されたプリント基板４２，４４を、筐体１２内に収納して構成される。モード表示部は、第１のプリント基板４２上に実装された複数の発光素子３４ａと、各発光素子３４ａの光を筐体１２の外部にそれぞれ導光するための導光部材５４とを備える。カバー１６は、導光部材５４の先端部を筐体１２外に露出させる複数の表示孔を有する。導光部材５４は、各発光素子３４ａの光を導光するための複数の導光片５４ａと、各導光片５４ａを連結する連結部５４ｂとを含む。【選択図】図６
2018174063.tif 000002
【特許請求の範囲】
【請求項１】
人体から発せられる熱線を検出する熱線センサ部と、
前記熱線センサ部からのセンサ信号に基づいて負荷をオン／オフを制御する制御信号を出力する制御部と、
前記制御信号に基づいて前記負荷への給電をオン／オフ制御する開閉器と、
前記開閉器のオン／オフ制御のモードを表示するモード表示部と、が実装されたプリント基板を、ケースおよびカバーからなる筐体内に収納してなる熱線センサ付自動スイッチであって、
前記モード表示部は、前記プリント基板上に実装された複数の発光素子と、各発光素子の光を前記筐体の外部にそれぞれ導光するための導光部材と、を備え、前記カバーは、前記導光部材の先端部を前記筐体外に露出させるための複数の表示孔を有し、
前記導光部材は、各発光素子の光を導光するための複数の導光片と、各導光片を連結する連結部とを含むことを特徴とする熱線センサ付自動スイッチ。
【請求項２】
前記各導光片は、前記先端部から前記発光素子に対向する基端部まで伸びており、前記連結部は前記筐体の外側であって前記先端部の近傍で前記導光片に連結していることを特徴とする、請求項１に記載の熱線センサ付自動スイッチ。
【請求項３】
前記導光片の先端部は、球状面の一部をなすように湾曲して突出した先端面を有することを特徴とする、請求項２に記載の熱線センサ付自動スイッチ。
【発明の詳細な説明】
【技術分野】
【０００１】
本開示は、照明装置等の負荷をオン／オフ制御する熱線センサ付自動スイッチに関する。
【背景技術】
【０００２】
従来から、熱線センサによって人を検出することによって照明装置等の負荷をオン／オフ制御する熱線センサ付自動スイッチが知られている。例えば、特許文献１には、熱線センサで人を検出したとき、照明装置の点灯開始と同時に換気扇を駆動開始するか、または、照明装置の消灯したタイミングで換気扇の駆動を開始する制御を行う熱線センサ付自動スイッチが記載されている。
【０００３】
特許文献１に記載される熱線センサ付自動スイッチは、連続点灯モード、自動点灯消灯モードおよび強制消灯モードを有している。連続点灯モードは、センサ信号の有無にかかわらず、照明装置を連続点灯させるモードである。自動点灯消灯モードは、センサ信号に応じて、照明装置を自動的に点灯状態にさせ、所定の点灯保持時間の経過後に照明装置を消灯させるモードである。強制消灯モードは、センサ信号の有無にかかわらず、照明装置を強制的に消灯させるモードである。熱線センサ付自動スイッチでは、操作スイッチの操作ごとに、連続点灯モード、自動点灯消灯モード、強制消灯モードへと順に切り替えられ、現在どのモードにあるかをモード表示部で表示する構成となっている。
【先行技術文献】
【特許文献】
【０００４】
【特許文献１】特開２０１５−１７３０７７号公報
【発明の概要】
【発明が解決しようとする課題】
【０００５】
上記特許文献１の熱線センサ付自動スイッチのモード表示部は、ケースとカバーとから構成される筐体内に配置したプリント基板上に実装されている３つの発光ダイオードを含む。これらの発光ダイオードのいずれかを点灯させることにより、現在のモードを表示する構成となっている。各発光ダイオードに対応して筒状突起が筐体のカバーにそれぞれ設けられ、発光ダイオードの光を筒状突起の内部空間を通して筐体の外部に効率よく出射させることができると記載されている。
【０００６】
この場合、発光ダイオードの光を筐体の外部により効率的に出射できるように各筒状突起内に導光部材を配置することが考えられるが、各筒状突起内に導光部材をそれぞれ挿入配置する構成では、熱線センサ付自動スイッチの組立性が悪くなる。
【０００７】
本開示の目的は、ユーザに対するモード表示の視認性を向上させることができ、組立てを容易に行うことができる熱線センサ付自動スイッチを提供することにある。
【課題を解決するための手段】
【０００８】
本開示に係る熱線センサ付自動スイッチは、人体から発せられる熱線を検出する熱線センサ部と、前記熱線センサ部からのセンサ信号に基づいて負荷をオン／オフを制御する制御信号を出力する制御部と、前記制御信号に基づいて前記負荷への給電をオン／オフ制御する開閉器と、前記開閉器のオン／オフ制御のモードを表示するモード表示部と、が実装されたプリント基板を、ケースおよびカバーからなる筐体内に収納して構成される。前記モード表示部は、前記プリント基板上に実装された複数の発光素子と、各発光素子の光を前記筐体の外部にそれぞれ導光するための導光部材とを備える。前記カバーは、前記導光部材の先端部を前記筐体外に露出させるための複数の表示孔を有する。前記導光部材は、各発光素子の光を導光するための複数の導光片と、各導光片を連結する連結部とを含む。
【発明の効果】
【０００９】
本開示に係る熱線センサ付自動スイッチによれば、ユーザに対するモード表示の視認性を向上させることができ、かつ、組立てを容易に行うことができる。
【図面の簡単な説明】
【００１０】
【図１】一実施形態の熱線センサ付自動スイッチの全体斜視図である。
【図２】一実施形態の熱線センサ付自動スイッチの機能ブロック図である。
【図３】一実施形態の熱線センサ付自動スイッチの前部を分解した状態で示す斜視図である。
【図４】一実施形態の熱線センサ付自動スイッチの後部を分解した状態で示す斜視図である。
【図５】一実施形態の熱線センサ付自動スイッチの正面図である。
【図６】図５におけるＡ−Ａ線断面図である。
【図７】導光部材と、該導光部材の挿入部とを示す拡大斜視図である。
【図８】（ａ）は導光部材の平面図、（ｂ）は導光部材の正面図である。
【図９】カバーの裏面側を示す斜視図である。
【発明を実施するための形態】
【００１１】
以下に、本開示に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において「略」なる用語は、例えば、完全に同じである場合に加えて、実質的に同じとみなせる場合を含む意味で用いられる。さらに、以下において複数の実施形態や変形例などが含まれる場合、それらの特徴部分を適宜に組み合わせて用いることは当初から想定されている。
【００１２】
以下、本実施形態の熱線センサ付自動スイッチ（以下、適宜に「自動スイッチ」とだけいう）１０について、図１ないし図９に基づいて説明する。なお、図中において、同じ部材に対しては、同じ番号を付して重複する説明を省略する。
【００１３】
図１は、一実施形態の自動スイッチ１０の全体斜視図である。図１に示すように、熱線センサ付自動スイッチ１０は、建築物の壁面などの施工面（図示していない）に、取付枠２によって取り付けられる。取付枠２は、例えば、板金製の枠体に形成され、自動スイッチ１０は、取付枠２の矩形状の開口部３内に挿入された状態で取り付けられる。
【００１４】
取付枠２の開口部３を形成する短手方向両側の支持壁４ａ，４ｂには複数の係合孔５が形成され、これらの係合孔５に自動スイッチ１０の筐体１２の側面に形成されている係合突起が嵌まり込むことによって、自動スイッチ１０が取付枠２に固定されている。以下では、自動スイッチ１０において施工面に露出して配置される側を「前」、その反対側を「後」という。
【００１５】
図１に示すように、自動スイッチ１０は、その後部に筐体１２を備える。筐体１２は、直方体状をなす有底のケース１４と、ケース１４の前方の開口を覆って設けられるカバー１６とによって構成される。カバー１６には、ハンドル部材１８、化粧カバー部材２０、化粧表面板２２などが取り付けられている。これらの詳細については、図３等を参照して後述する。
【００１６】
図２は、自動スイッチ１０の機能ブロック図である。図２に示すように、本実施形態の自動スイッチ１０は、人体から発せられる熱線を検出する熱線センサ部２４と、手動にて操作された操作スイッチ２６のオン／オフ操作を判別する入力判別部２８とを備えている。自動スイッチ１０は、熱線センサ部２４からのセンサ信号と入力判別部２８からの判別信号とに基づいて照明装置Ｌの点灯／消灯を制御する制御信号を出力する制御部３０を備えている。自動スイッチ１０は、制御部３０からの制御信号に基づいて照明装置Ｌへの電力の供給を入切する開閉器３２を備えている。自動スイッチ１０では、操作スイッチ２６のスイッチ操作ごとにモードが切り替わり、モード表示部３４でモードを表示する。
【００１７】
自動スイッチ１０の制御部３０は、熱線センサ部２４からのセンサ信号に応じて照明装置Ｌを点灯状態にさせ、所定の点灯保持時間の経過後に消灯状態となるように開閉器３２を制御することができる。この場合、自動スイッチ１０のモード表示部３４は、自動点灯消灯モードを表示している。
【００１８】
自動スイッチ１０は、熱線センサ部２４の検出感度を設定可能な設定操作部３６を備えている。熱線センサ部２４は、人体から発せられる熱線として、赤外線エネルギを検出することにより人体の存在の有無を検出可能な赤外線センサを用いて構成することができる。赤外線センサは、焦電素子を用いることができる。
【００１９】
設定操作部３６は、熱線センサ部２４の検出感度を設定可能なものである。設定操作部３６は、熱線センサ部２４の検出感度を設定可能なものだけに限れない。設定操作部３６は、自動点灯消灯モードにおける点灯保持時間を設定することができる操作部を備えていてもよい。また、設定操作部３６は、設定操作部３６の一部を筐体１２の前側表面に露出させている。
【００２０】
自動スイッチ１０の制御部３０は、例えば、マイクロコンピュータなどにより構成することができる。制御部３０は、熱線センサ部２４からのセンサ信号と入力判別部２８からの判別信号に基づいて照明装置Ｌの点灯／消灯を制御する制御信号を開閉器３２に出力する。
【００２１】
自動スイッチ１０は、制御部３０からの制御信号に基づいて照明装置Ｌへの電力の供給を開閉器３２によって入切する。開閉器３２は、開閉素子３２ａと開閉駆動部３２ｂとを備えている。制御部３０は、相補的な２個のサイリスタを逆並列に接続する双方向サイリスタのような開閉素子３２ａを、開閉駆動部３２ｂを介してオンオフ可能に制御する。
【００２２】
自動スイッチ１０は、商用電源ＡＣを受けて直流定電圧を発生する直流安定化電源３８を備える。直流安定化電源３８は、自動スイッチ１０の電源端子１１ａ，１１ｂを介して、商用電源ＡＣと電気的に接続している。開閉器３２は、商用電源ＡＣを接続する電源端子１１ａと、照明装置Ｌを接続する負荷端子１１ｄとの間に電気的に接続されている。自動スイッチ１０は、負荷端子１１ｃ，１１ｄを介して照明装置Ｌに電気的に接続されている。
【００２３】
自動スイッチ１０では、熱線センサ部２４からのセンサ信号と入力判別部２８からの判別信号とが、制御部３０に入力される。制御部３０では、熱線センサ部２４からのセンサ信号である熱線センサ部２４の出力がＡ／Ｄ変換されて入力される。制御部３０は、入力判別部２８の出力がＡ／Ｄ変換されて入力される。制御部３０は、熱線センサ部２４からのセンサ信号に基づいて、予め設定された検知エリア内における人体の存否を検知し、開閉器３２を制御する制御信号を出力することができる。
【００２４】
自動スイッチ１０は、周囲の明るさを識別可能な明るさセンサ２９を備えるのが好適である。明るさセンサ２９は、たとえば、ＣｄＳやフォトダイオードなどの受光素子を用いて構成することができる。明るさセンサ２９は、制御部３０と電気的に接続されている。明るさセンサ２９は、熱線センサ部２４と一体的に構成してもよい。
【００２５】
自動スイッチ１０は、制御部３０の動作モードを表示するモード表示部３４を備えている。モード表示部３４は、複数（本実施形態では３つ）の発光ダイオード３４ａ（図４参照）で構成することができる。制御部３０は、モード表示部３４の各発光ダイオード３４ａにそれぞれ電気的に接続されている。制御部３０は、操作スイッチ２６が操作される度に、モードを遷移させる。制御部３０は、操作スイッチ２６が操作される度に、遷移されたモードをモード表示部３４に表示する。
【００２６】
制御部３０は、自動点灯消灯モードにおいて、熱線センサ部２４の検知エリアに人体が存在すると判断した場合、熱線センサ部２４からのセンサ信号に応じて照明装置Ｌを点灯状態にさせ所定の点灯保持時間の経過後に消灯状態にする。制御部３０は、照明装置Ｌが点灯する点灯保持時間を計時するためのタイマ部（図示していない）を内蔵している。制御部３０は、点灯保持時間の計時中に熱線センサ部２４からセンサ信号が再入力されると、センサ信号が再入力された時点から所定の点灯保持時間後に照明装置Ｌを消灯状態にするように構成されている。したがって、タイマ部は、センサ信号が再入力された時点から所定の点灯保持時間を計時できるようにリトリガブル・タイマを構成している。
【００２７】
制御部３０は、制御部３０の基本的な動作として、明るさセンサ２９の検出した明るさが予め設定された明るさの閾値よりも暗い状態で、熱線センサ部２４に入射した熱線の変化に基づいて人体を検知すると、照明装置Ｌを点灯させる。制御部３０は、タイマ部が計時した所定の点灯保持時間の間、照明装置Ｌの点灯状態を維持するように開閉器３２を制御する。なお、自動スイッチ１０は、制御部３０により照明装置Ｌへの供給電力を調節し、照明装置Ｌを所望の光出力で点灯させることもできる。
【００２８】
続いて、図３および図４を参照して、自動スイッチ１０のハード構成について説明する。図３は、自動スイッチ１０の前部を分解した状態で示す斜視図である。図４は、自動スイッチ１０の後部を分解した状態で示す斜視図である。
【００２９】
図３および図４に示すように、自動スイッチ１０の筐体１２は、ケース１４とカバー１６とを備える。ケース１４とカバー１６とは、分離可能な構成としている。筐体１２は、直方体状であって、有底角筒状のケース１４と、有底角筒状のカバー１６とで構成されている。ケース１４とカバー１６とは、ケース１４とカバー１６とを嵌め合わせて内部が空洞な箱状体を構成している。
【００３０】
ケース１４は、電気絶縁性の樹脂材料により形成される。ケース１４は、電気絶縁性の樹脂材料として、たとえば、ユリア樹脂などを用いて形成することができる。ケース１４は、たとえば、加熱溶融させた電気絶縁性の樹脂材料を金型内に射出注入し、冷却固化させる射出成形により一体成形品として形成することができる。
【００３１】
カバー１６は、電気絶縁性の樹脂材料により形成されている。カバー１６は、電気絶縁性の樹脂材料として、たとえば、ユリア樹脂などを用いて形成することができる。カバー１６は、たとえば、加熱溶融させた電気絶縁性の樹脂材料を金型内に射出注入し、冷却固化させる射出成形により一体成形品として形成することができる。
【００３２】
カバー１６は、カバー１６の上下側（図４の紙面の上下側）でそれぞれの横方向に沿って、ケース１４側に突出する一対の突出片１６ａを備えている。突出片１６ａは、有底角筒状のカバー１６における筒状部位に対して弾性変形が可能な構成としている。カバー１６は、筒状部位と突出片１６ａとを一体成形により形成することができる。突出片１６ａは、外形がＣ字状となっており、筒状部位から突出して外部に露出する部位に矩形状の係合孔１６ｂを有している。カバー１６は、突出片１６ａの係合孔１６ｂと、ケース１４の係合突起部１４ａとを係合可能に構成している。
【００３３】
カバー１６は、ケース１４の係合突起部１４ａと、係合突起部１４ａに対応する係合孔１６ｂとをそれぞれ係合させることによって、カバー１６をケース１４に位置決めして固定することができる。すなわち、筐体１２は、ケース１４とカバー１６とを嵌め合わせて構成される。カバー１６は、横方向における側壁１７に、側壁１７から突出する取付爪１７ａを備えている。カバー１６は、取付枠２の係合孔５（図１参照）と、取付爪１７ａとを係合可能になっている。
【００３４】
ケース１４およびカバー１６からなる筐体１２内には、回路部４０が収納されている。回路部４０は、ケース１４とカバー１６とに挟持されて筐体１２内で固定された状態になっている。回路部４０は、互いに電気的に接続された第１のプリント基板４２と第２のプリント基板４４とを含む。本実施形態では、第１のプリント基板４２が前側に、第２プリント基板４４が後側に配置されている。
【００３５】
第１のプリント基板４２には、２つの調整ツマミ４６ａ，４６ｂと、複数（本実施形態では３つ）の発光ダイオード３４ａと、スイッチ本体４８と、熱線センサ部２４とが実装されている。上記２つの調整ツマミ４６ａ，４６ｂは、図２を参照して説明した設定操作部３６を構成する。
【００３６】
一方の調整ツマミ４６ａは、自動点灯消灯モードにおいて、照明装置Ｌを点灯させる点灯保持時間を設定可能なものである。この調整ツマミ４６ａを調整することによって、自動スイッチ１０では、例えば、１０秒から３０分までの範囲で点灯保持時間を適宜に設定することができる。
【００３７】
他方の調整ツマミ４６ｂは、例えば、明るさセンサ２９の明るさ検知レベルを「暗め」（たとえば、５ｌｘ以下）から「明るめ」（たとえば、１００ｌｘ以上）までの範囲で設定することができる。自動スイッチ１０は、例えば、調整ツマミ４６ｂを「切」に設定すると、明るさセンサ２９の機能を停止させることができる。自動スイッチ１０は、調整ツマミ４６ｂを「切」に設定した場合、自動スイッチ１０の周囲が明るいときに宅内の照明装置Ｌを点灯させることを防止することが可能となる。自動スイッチ１０は、周囲が明るいときに宅内の照明装置Ｌを点灯させることを防止し、省エネルギ化を図ることが可能となる。
【００３８】
自動スイッチ１０は、例えば、調整ツマミ４６ｂで、明るさのしきい値を調整することにより、結果として、熱線センサ部２４が人の存在の有無を検知する検出感度が設定されたのと同様の効果を得ることができる。すなわち、自動スイッチ１０では、調整ツマミ４６ｂは、熱線センサ部２４の検出感度を設定する設定操作部３６を構成する。なお、自動スイッチ１０は、熱線センサ部２４の検出感度を直接的に調整して設定する設定操作部３６を備えていてもよい。
【００３９】
第１のプリント基板４２に実装された複数の発光ダイオード３４ａは、例えば、色や点灯状態によって、自動スイッチ１０のモードを表示可能なモード表示部３４の一部を構成する。自動スイッチ１０では、照明装置Ｌを連続的に点灯させる連続点灯モードで駆動させることができる。また、自動スイッチ１０では、熱線センサ部２４からのセンサ信号に応じて照明装置Ｌを点灯状態にさせ所定の点灯保持時間の経過後に消灯状態にする自動点灯消灯モードで駆動させることができる。さらに、自動スイッチ１０では、照明装置Ｌを消灯する強制消灯モードで駆動させることができる。自動スイッチ１０では、制御部３０は、ハンドル部材１８を介して第１のプリント基板４２上に実装されたスイッチ本体４８の操作子４９を押し操作することにより、連続点灯モードと、自動点灯消灯モードと、強制消灯モードとを切り替えることができる。
【００４０】
操作スイッチ２６には、例えば、スイッチ本体４８の操作子４９が押される度にオンとオフとが反転する位置保持型スイッチを用いることができる。位置保持型スイッチは、プッシュロックスイッチやプッシュオン／プッシュオフ・スイッチなどを用いることができる。操作子４９は、後述するハンドル部材１８を押圧操作が解除されると、元の位置に復帰する。これにより、操作スイッチ２６がオフとなる。
【００４１】
制御部３０は、複数個の発光ダイオード３４ａと各別に電気的に接続している。制御部３０は、複数個の発光ダイオード３４ａの点灯を各モードそれぞれに対応して各別に制御する。モード表示部３４は、各モードそれぞれに対応する発光ダイオード３４ａからの発光で各モードを各別に表示することができる。より具体的には、自動スイッチ１０は、照明装置Ｌへの給電を止め照明装置Ｌを消灯する強制消灯モードの場合、たとえば、３つの発光ダイオード３４ａのうち、横方向の一方側（図４の紙面の左側）に設けた発光ダイオード３４ａが点灯する。自動スイッチ１０は、例えば、３つの発光ダイオード３４ａのうち、横方向の一方側に設けた発光ダイオード３４ａを赤色に点灯させてもよい。
【００４２】
自動スイッチ１０は、自動点灯消灯モードの場合、例えば、横方向の中央に設けた発光ダイオード３４ａが点灯する。自動スイッチ１０は、例えば、３つの発光ダイオード３４ａのうち、横方向の中央に設けた発光ダイオード３４ａを緑色に点灯させてもよい。自動スイッチ１０は、所定の点灯保持時間の間、中央部に設けた発光ダイオード３４ａを緑色に点滅させてもよい。自動スイッチ１０は、所定の点灯保持時間の残存時間が少なくなるにつれ、中央部に設けた発光ダイオード３４ａの点滅間隔を短くさせてもよい。自動スイッチ１０は、照明装置Ｌを連続的に点灯させる連続点灯モードの場合、例えば、３つの発光ダイオード３４ａのうち、横方向の他方側（図４の紙面の右側）に設けた発光ダイオード３４ａが点灯する。自動スイッチ１０は、たとえば、３つの発光ダイオード３４ａのうち、短手方向の他方側の発光ダイオード３４ａを青色に点灯させてもよい。
【００４３】
第１のプリント基板４２に実装された熱線センサ部２４は、例えば、焦電素子などのセンサ素子２４ａを備え、予め設定された検知エリア内に存在する人体からの熱線を検出可能である。熱線センサ部２４のセンサ素子２４ａは、センサカバー２５で覆われている。センサカバー２５は、外形が半円筒状としている。熱線センサ部２４は、人体から発せられる熱線を、センサカバー２５を介してセンサ素子２４ａが検出する。センサカバー２５は、赤外線を集光するフレネルレンズを構成してもよい。自動スイッチ１０は、筐体１２のカバー１６と回路部４０との間で、センサカバー２５を挟持し筐体１２の内部に収納している。
【００４４】
自動スイッチ１０は、筐体１２のカバー１６とセンサカバー２５との間に一対のシャッター２５ａ，２５ｂを備えている。各シャッター２５ａ，２５ｂは、外形が弧状をなし、センサカバー２５の表面に沿って可動自在に構成されている。各シャッター２５ａ，２５ｂは、センサカバー２５の一部を覆うことができる。各シャッター２５ａ，２５ｂを移動させることにより、熱線センサ部２４が人体を検出する検出領域を調整することができる。自動スイッチ１０は、熱線センサ部２４の検出領域を調整して、人体の検知エリアの最適化を行うことが可能となる。
【００４５】
回路部４０を構成する第１のプリント基板４２には、制御部３０や入力判別部２８を構成するための電子部品が実装されている。例えば、また、第１のプリント基板４２は、ヒューズ、異常発熱抑制のための温度ヒューズや漏電防止用のリレーなどの各種の電子部品を実装してもよい。また、第１のプリント基板４２は、発光ダイオード３４ａ、コンデンサ、抵抗やリレーなどの電子部品を実装している。第１のプリント基板４２には、図示していない配線パターンを形成しており、各種の電子部品と電気的に接続できるように構成されている。
【００４６】
回路部４０を構成する第２のプリント基板４４は、第１のプリント基板４２と同様に、平面視で矩形状をなし、各種の電子部品が実装されている。第２のプリント基板４４は、開閉器３２として、主スイッチ素子を構成する開閉素子３２ａと、開閉素子３２ａの駆動を制御する開閉駆動部３２ｂが実装されている。第２のプリント基板４４は、直流安定化電源３８を実装してもよい。第２のプリント基板４４は、コネクタ４３によって第１のプリント基板４２と電気的に接続されている（図６参照）。
【００４７】
図４に示すように、カバー１６は、２つの貫通孔５０ａ，５０ｂを有する。２つの貫通孔５０ａ，５０ｂは、カバー１６がケース１４に組み付けられたとき、回路部４０に含まれる２つの調整ツマミ４６ａ，４６ｂを筐体１２の前面に露出させる。これにより、自動スイッチ１０の前部に設けられる化粧表面板２２および化粧カバー部材２０を取り外すことによって、２つの貫通孔５０ａ，５０ｂを介して前方に突出した２つの調整ツマミ４６ａ，４６ｂを回転操作することができる。
【００４８】
カバー１６は、２つの貫通孔５０ａ，５０ｂの下方に導光部材挿入部５２を有する。導光部材挿入部５２には、複数（本実施形態では３つ）の導光片５４ａを備えた導光部材５４が挿入される。導光部材挿入部５２は、第１のプリント基板４２に実装された複数の発光ダイオード３４ａに対応する位置に形成されている。導光部材挿入部５２および導光部材５４については、図６等を参照して後述する。
【００４９】
カバー１６は、撓み片５６を有する。撓み片５６は、カバー１６の前面に片持ち状に連結された基部５６ａと、基部５６ａに対して略Ｔ字状をなすように上下方向へ伸びた先端部５６ｂとを含み、先端部５６ｂは第１のプリント基板４２に実装されたスイッチ本体４８に向かって突出している。撓み片５６は、基部５６ａの弾性変形により揺動可能に撓むことができる。したがって、後述するハンドル部材１８が押し操作されると、これに伴ってカバー１６の撓み片５６の先端部５６ｂが後方へ撓み変形し、スイッチ本体４８の操作子４９が押し操作される。その結果、上述したように、自動スイッチ１０は、連続点灯モードと、自動点灯消灯モードと、強制消灯モードとに順次に切り替えることができる。
【００５０】
カバー１６は、前方へ向かって半円弧状に突出した突出部５８を有する。突出部５８には、前方から見て略長方形状をなす開口部６０が形成される。この開口部６０を介して、熱線センサ部２４を覆ったセンサカバー２５が露出する構成となっている。
【００５１】
カバー１６には、突出部５８の側方に板ばね６２が取り付けられている。この板ばね６２は、カバー１６に取り付けられた後述するハンドル部材１８が押し操作されたときに、ハンドル部材１８を元の位置に復元させるための付勢力を作用させるためのものである。
【００５２】
図３に示すように、自動スイッチ１０は、その前部に、操作スイッチ２６を構成するハンドル部材１８を備えている。ハンドル部材１８は、例えば、樹脂成形部品によって構成される。ハンドル部材１８は、横方向一方の側端部１８ａが筐体１２側に支持され他端部１８ｂが揺動自在に押操作可能なピアノハンドルとなっている。すなわち、ハンドル部材１８は、ピアノハンドル式のスイッチを構成している。ピアノハンドル式のスイッチは、一方の側端部１８ａを支点にして他方の側端部１８ｂが押圧回動されることにより、カバー１６の撓み片５６を押圧操作することができる。その結果、撓み片５６が後方へ撓み変形して、操作スイッチ２６を構成するスイッチ本体４８の操作子４９を押圧操作することができる。
【００５３】
ハンドル部材１８は、正面視で略正方形状の開口部６４を有する。ハンドル部材１８が筐体１２に組み付けられた状態で、開口部６４を介して設定操作部３６を構成する２つの調整ツマミ４６ａ，４６ｂと、モード表示部３４を構成する導光部材５４が露出する構成となっている。
【００５４】
ハンドル部材１８は、その下部に前方へ突出したカバー部６６を有する。カバー部６６は、上面視で略円弧状をなして前方に突出している。カバー部６６の中央には、正面視で略矩形状の開口部６８が形成されている。ハンドル部材１８が組み付けられた状態で、この開口部６８を介して、熱線センサ部２４を覆って設けられたセンサカバー２５が露出する構成となっている。
【００５５】
ハンドル部材１８には、化粧カバー部材２０が取り付けられる。化粧カバー部材２０は、ハンドル部材１８の開口部６４を塞ぐように取り付けられる。化粧カバー部材２０は、例えば、樹脂成形部品によって構成される。化粧カバー部材２０の裏面には、４つの突起（図示していない）が突設されている。これらの突起がハンドル部材１８の開口部６４の周囲に凹設された係合凹部７０に嵌まり込むことによって、化粧カバー部材２０がハンドル部材１８に着脱自在に取り付けられる。
【００５６】
化粧カバー部材２０には、複数（本実施形態では３つ）の透光孔７２が形成されている。また、ハンドル部材１８と化粧カバー部材２０との間には、例えば、透光性を有する樹脂板によって構成される透光板１９が両部材１８，２０で挟持されて配置される。透光板１９は、筐体１２に取り付けられた導光部材５４に対向するとともに、化粧カバー部材２０の複数の透光孔７２に対向して設けられる。
【００５７】
化粧カバー部材２０は、その下部に上面視で円弧状に突出した突出部７４を備えている。突出部７４は、化粧カバー部材２０がハンドル部材１８に取り付けられたとき、カバー部６６の上に載置された状態に配置される。また、突出部７４には、中央部に取付穴７６が形成されている。
【００５８】
化粧カバー部材２０の前面には、化粧表面板２２が着脱自在に取り付けられる。化粧表面板２２は、例えば、透光性を有する樹脂板によって構成される。化粧表面板２２は、正面視で矩形状の本体部８０と、本体部８０の下縁から突出した取付片８２とを有する。化粧表面板２２は、取付片８２が化粧カバー部材２０の取付穴７６に挿入された状態で、化粧カバー部材２０の前面に形成された浅い矩形状の凹部７８に嵌め込まれて取り付けられる。
【００５９】
上述したように、本実施形態の自動スイッチ１０では、ハンドル部材１８に、透光板１９、化粧カバー部材２０および化粧表面板２２が一体に組み付けられ、ハンドル部材１８と共に揺動可能に構成される。また、ハンドル部材１８から化粧カバー部材２０および化粧表面板２２を一緒に取り外すことによって、ハンドル部材１８の開口部６４を介して、設定操作部３６を構成する２つの調整ツマミ４６ａ，４６ｂを露出した状態とすることができる。これにより、調整ツマミ４６ａ，４６ｂの回動操作を行うことができ、照明装置Ｌの点灯保持時間や、明るさセンサ２９による検出しきい値を調整することができる。
【００６０】
また、透光板１９、化粧表面板２２および化粧表面板２２がハンドル部材１８に取り付けられた状態で、ハンドル部材１８の開口部６４、透光板１９、および、化粧カバー部材２０の透光孔７２が、筐体１２に設けられた導光部材５４に対向して配置される。これにより、筐体１２内に収納された第１のプリント基板４２上の発光ダイオード３４ａの光が、導光部材５４、透光板１９、透光孔７２および化粧表面板２２を通して、外部に出射されるように構成されている。
【００６１】
図５は、自動スイッチ１０の正面図である。図６は、図５中におけるＡ−Ａ線断面図である。図５に示すように、化粧表面板２２の前面には、紙面左側から順に、「切」、「自動」、「連続入」の表示が付されている。「切」の表示は、化粧カバー部材２０の複数の透光孔７２のうち左側の透光孔７２に対応する位置の上側に付されている。
【００６２】
「自動」の表示は、化粧カバー部材２０の複数の透光孔７２のうち中央の透光孔７２に対応する位置の上部に付されている。「連続入」の表示は、化粧カバー部材２０の複数の透光孔７２のうち右側の透光孔７２に対応する位置の上部に付されている。「切」の表示は、自動スイッチ１０が強制消灯モードにあることを示すためのものである。「自動」の表示は、自動スイッチ１０が自動点灯消灯モードにあることを示すためのものである。「連続入」の表示は、自動スイッチ１０が連続点灯モードにあることを示すためのものである。
【００６３】
自動スイッチ１０の前面から、ハンドル部材１８を押圧操作することにより、自動スイッチ１０の制御部３０は、強制消灯モード、自動点灯消灯モード、連続点灯モードに順次に切り替える。自動スイッチ１０が強制消灯モードにあるとき、第１のプリント基板４２において図４中の左側に位置する発光ダイオード３４ａが点灯し、自動スイッチ１０の前面では「切」の表示に対応する透光孔７２が点灯した状態になる。自動スイッチ１０が自動点灯消灯モードにあるとき、第１のプリント基板４２において図４中の中央に位置する発光ダイオード３４ａが点灯し、自動スイッチ１０の前面では「自動」の表示に対応する透光孔７２が点灯した状態になる。自動スイッチ１０が連続点灯モードにあるとき、第１のプリント基板４２において図４中の右側に位置する発光ダイオード３４ａが点灯し、自動スイッチ１０の前面では「連続入」の表示に対応する透光孔７２が点灯した状態になる。
【００６４】
図６に示すように、カバー１６の導光部材挿入部５２には、導光部材５４が取り付けられていることは上述した通りである。導光部材５４は、第１のプリント基板４２に実装された発光ダイオード３４ａの光を導光するための複数の導光片５４ａと、各導光片５４ａを連結する連結部５４ｂとを含む。導光部材５４は、例えば、透明な樹脂材料によって一体に形成されている。
【００６５】
各導光片５４ａは、カバー１６の前面の露出した先端部から、第１のプリント基板４２に実装された発光ダイオード３４ａに対向した基端部まで伸びて形成されている。これにより、導光部材５４の各導光片５４ａは、それぞれ、対応する発光ダイオード３４ａの光を基端部から先端部へと効率良く導光することが可能になっている。
【００６６】
また、各導光片５４ａは、カバー１６の導光部材挿入部５２に形成された筒状の支持突起５３内にそれぞれ挿入されて取り付けられている。本実施形態では、３つの導光片５４ａに対応して３つの支持突起５３が形成されている。支持突起５３は、遮光性の樹脂材料からなるカバー１６と一体に形成される。そのため、発光ダイオード３４ａから出射された光は、各導光片５４ａの基端部から先端部までの間で漏れ出ることなく効率良く導光される。
【００６７】
図７は、導光部材５４と、導光部材挿入部５２とを示す拡大斜視図である。図８（ａ）は導光部材５４の平面図、同（ｂ）は導光部材５４の正面図である。図９は、カバー１６の裏面側を示す斜視図である。
【００６８】
図７に示すように、カバー１６の導光部材挿入部５２には、カバー１６の裏面側に突出する支持突起５３の内部空間にそれぞれ連通する３つの開口が形成されている。これらの開口が導光部材５４の先端部５７ａを筐体１２外に露出させるための複数の表示孔になっている。これらの開口の周囲には、正面視で横方向に長く延びる扁平長方形の周囲枠５５がカバー１６の前面に立設されている。周囲枠５５は、３つの導光片５４ａの先端部とこれらを連結する連結部５４ｂとを取り囲んだ状態で収容可能な大きさに形成されている。
【００６９】
導光部材５４は、３つの導光片５４ａを支持突起５３の内部にそれぞれ挿入して、カバー１６に組み付けられる。このとき、各導光片５４ａが連結部５４ｂによって連結されていることで、導光部材５４の組付けを容易に行うことができる。また、カバー１６に組み付けられた導光部材５４の各導光片５４ａの先端部および連結部５４ｂは、周囲枠５５内に収容される。これにより、カバー１６に組み付けられた導光部材５４が安定に保持された状態になる。
【００７０】
図８（ａ），（ｂ）に示すように、導光部材５４の各導光片５４ａは、支持突起５３内に挿入配置される基端部５７ｂおよびその近傍が直方体状に伸びて形成されている。各導光片５４ａの先端部５７ａは、基端部５７ｂに比べて少し大きく形成され、両者間に段部５７ｃが形成されている。
【００７１】
導光部材５４において、連結部５４ｂは、各導光片５４ａの先端部５７ａの近傍において導光片５４ａに連結されている。このように先端部５７ａの近傍に連結部５４ｂが連結されていることで、次のような利点がある。すなわち、連結部が各導光片５４ａの基端部５７ｂに近い位置に連結されるほど、基端部５７ｂから導光片５４ａ内に入射した光が連結部を介して隣接する別の導光片５４ａに漏れやすくなる。その結果、自動スイッチ１０を正面から見たときモード表示部３４によってどのモードに切り替わっているのかが視認しにくくなる。これに対し、本実施形態では、連結部５４ｂが各導光片５４ａの先端部５７ａの近傍に連結されているため、連結部５４ｂを介して隣接する導光片５４ａに漏れ出るのを抑制でき、モード表示部３４の視認性が向上する。
【００７２】
さらに、図８（ａ）に示すように、各導光片５４ａの先端部５７ａは、球状面の一部をなすように湾曲して突出した先端面を有する。これにより、各導光片５４ａの基端部から５７ｂから入射した光が先端部５７ａから出射するときに屈折が生じることで、先端面が平坦面である場合に比べて、角度的な広がりをもって光が先端面から出射される。その結果、自動スイッチ１０の真正面から少しずれた位置からでも各発光ダイオード３４ａの点灯状態を視認しやすくなり、これによってもモード表示部３４の視認性が向上する。
【００７３】
図９に示すように、導光部材５４の各導光片５４ａを収容した状態で支持する支持突起５３は、カバー１６の裏面から筐体１２の内部に向かってそれぞれ突出して形成されている。そのうち、３つの支持突起５３のうち中央に位置する支持突起５３がその両側の支持突起５３よりも長く伸びて突出している。これにより、図６に示すように、回路部４０を収納したケース１４にカバー１６が組み付けられたとき、上記中央の支持突起５３が、３つの発光ダイオード３４ａのうち中央の発光ダイオード３４ａの周囲において第１のプリント基板４２上に当接する。その結果、上記中央の発光ダイオード３４ａに対応する位置で第１のプリント基板４２に設けられたコネクタ４３が第２のプリント基板４４との間で押圧され、第１および第２プリント基板４２，４４間の電気的接続をより確実なものすることができる。
【００７４】
上述したように、本実施形態の自動スイッチ１０は、人体から発せられる熱線を検出する熱線センサ部２４と、熱線センサ部２４からのセンサ信号に基づいて負荷をオン／オフを制御する制御信号を出力する制御部３０と、制御信号に基づいて照明装置Ｌへの給電をオン／オフ制御する開閉器３２と、開閉器３２のオン／オフ制御のモードを表示するモード表示部３４と、が実装された第１および第２プリント基板４２，４４を、ケース１４およびカバー１６からなる筐体１２内に収納して構成される。モード表示部３４は、第１のプリント基板４２上に実装された複数の発光ダイオード３４ａと、各発光ダイオード３４ａの光を筐体１２の外部にそれぞれ導光するための導光部材５４とを備える。カバー１６は、導光部材５４の先端部を前記筐体外に露出させるための複数の表示孔を有する。そして、導光部材５４は、各発光ダイオード３４ａの光を導光するための複数の導光片５４ａと、各導光片５４ａを連結する連結部５４ｂとを含む。
【００７５】
この構成によれば、ユーザに対するモード表示部３４の視認性を向上させることができ、自動スイッチ１０の組立てを容易に行うことができる。
【００７６】
また、本実施形態の自動スイッチ１０において、各導光片５４ａは、先端部５７ａから発光ダイオード３４ａに対向する基端部５７ｂまで伸びており、連結部５４ｂは筐体１２の外側であって先端部５７ａの近傍で導光片５４ａに連結している。この構成によれば、連結部５４ｂを介して隣接する導光片５４ａに漏れ出るのを抑制でき、モード表示部３４の視認性が向上する。
【００７７】
さらに、本実施形態の自動スイッチ１０において、導光片５４ａの先端部５７ａは、球状面の一部をなすように湾曲して突出した先端面を有する。この構成によれば、自動スイッチ１０の真正面から少しずれた位置からでも各発光ダイオード３４ａの点灯状態を視認しやすくなり、モード表示部３４の視認性がより向上する。
【００７８】
なお、本開示に係る熱線センサ付自動スイッチは、上述した実施形態およびその変形例に限定されるものではなく、本願の特許請求の範囲に記載された事項およびその均等な範囲において、種々の改良や変更が可能である。
【００７９】
例えば、上記においては、複数の支持突起３４のうち中央に位置する１つの支持突起５３を第１のプリント基板４２に当接させる例について説明したが、これに限定されるものではない。例えば、複数の支持突起を第１のプリント基板に当接させるように伸ばしてもよい。
【符号の説明】
【００８０】
１０  熱線センサ付自動スイッチ、１２  筐体、１４  ケース、１６  カバー、１８  ハンドル部材、１９  透光板、２０  化粧カバー部材、２２  化粧表面板、２４  熱線センサ部、２５  センサカバー、２５ａ，２５ｂ  シャッター、２６  操作スイッチ、２８  入力判別部、２９  明るさセンサ、３０  制御部、３２  開閉器、３４  モード表示部、３４ａ  発光ダイオード（発光素子）、３６  設定操作部、３８  直流安定化電源、４０  回路部、４２  第１プリント基板（プリント基板）、４４  第２のプリント基板（プリント基板）、４３  コネクタ、４６ａ，４６ｂ  調整ツマミ、４８  スイッチ本体、４９  操作子、５２  導光部材挿入部、５３  支持突起、５４  導光部材、５４ａ  導光片、５４ｂ  連結部、５５  周囲枠、５６  撓み片、５７ａ  先端部、５７ｂ  基端部、５７ｃ  段部、５８，７４  突出部、６０，６４，６８  開口部、６６  カバー部、７２  透光孔、７６  取付穴、７８  凹部、８０  本体部、８２  取付片、
ＡＣ  商用電源、Ｌ  照明装置。
【図１】
2018174063.tif 000003
【図２】
2018174063.tif 000004
【図３】
2018174063.tif 000005
【図４】
2018174063.tif 000006
【図５】
2018174063.tif 000007
【図６】
2018174063.tif 000008
【図７】
2018174063.tif 000009
【図８】
2018174063.tif 000010
【図９】
2018174063.tif 000011